(57)【要約】無線アクセスネットワークの制御ノードから送信された総括的接続解放メッセージが複数の無線接続を解放するのに用いられ、これにより複数の解放メッセージを送信することに伴う問題を除去している。本発明の第１の態様例に従えば、無線アクセスネットワークの制御ノードは総括的解放メッセージを準備して、その第１の選択パラメータが所定の値をもつとき、無線ネットワーク制御（ＲＮＣ）ノードにより制御される全ての無線接続が解放される。その第１の選択パラメータは（例えば、在圏無線ネットワークの一時的アイデンティティ（Ｓ−ＲＮＴＩ）情報要素のような総括的解放メッセージの無線ネットワークの一時的アイデンティティ（Ｕ−ＲＮＴＩ）情報要素における）総括的解放メッセージの移動端末のグローバルアイデンティティ情報要素に含まれる。第１の態様では、無線ネットワーク制御（ＲＮＣ）ノードは、在圏無線ネットワーク制御（ＳＲＮＣ）ノード或いはドリフト無線ネットワーク制御（ＤＲＮＣ）ノードであっても良く、その総括的解放メッセージは在圏無線ネットワーク制御（ＳＲＮＣ）ノードの故障時に準備される。第２の態様例に従えば、無線アクセスネットワークのドリフト無線ネットワーク制御ノードは総括的解放メッセージを準備し、その第１の選択パラメータが第１の所定の値をもち、そして、その第２の選択パラメータが第２の所定の値をもつとき、無線ネットワーク制御ノードにより制御されるセルにおける全ての無線接続が解放されるようにする。この第２の態様では、総括的解放メッセージの準備は、ドリフト無線ネットワーク制御（ＤＲＮＣ）ノードの故障時に発生する。第２の態様の実施形では、第１の選択パラメータと第２の選択パラメータの両方が、総括的解放メッセージの移動端末グローバルアイデンティティ情報要素に含まれる。例えば、第１の選択パラメータは、在圏無線ネットワークの一時的アイデンティティ（Ｓ−ＲＮＴＩ）情報要素にある一方で、第２の選択パラメータは、在圏無線ネットワーク制御（ＳＲＮＣ）ノードを識別するパラメータに含まれているようにできる。図示された実施例では、総括的解放メッセージは、ＣＥＬＬ＿ＦＡＣＨ状態における共通制御チャネル（ＣＣＣＨ）か、或いは呼出チャネル（ＰＣＨ）において送信される。
2004526393.tif 000002
【特許請求の範囲】
【請求項１】
通信システム（１０）の無線アクセスネットワーク（２４）を動作させる方法であって、前記方法は、
総括的解放メッセージを用いて前記無線アクセスネットワークによって扱われる複数の接続を解放することを特徴とする方法。
【請求項２】
前記無線アクセスネットワークは、無線ネットワーク制御（ＲＮＣ）ノードを有しており、
さらに、前記総括的解放メッセージを準備することにより、その第１の選択パラメータが所定の値をもつとき、前記無線ネットワーク制御（ＲＮＣ）ノードにより制御される全ての無線接続が解放されることを特徴とする請求項１に記載の方法。
【請求項３】
前記第１の選択パラメータが予約された範囲の値にあるとき、前記無線ネットワーク制御（ＲＮＣ）ノードにより制御される全ての無線接続が解放されることを特徴とする請求項２に記載の方法。
【請求項４】
前記無線ネットワーク制御（ＲＮＣ）ノードが在圏無線ネットワーク制御（ＳＲＮＣ）ノードであるとき、
前記在圏無線ネットワーク制御（ＳＲＮＣ）ノードが障害時には、さらに、前記総括的解放メッセージを準備することを特徴とする請求項２に記載の方法。
【請求項５】
前記第１の選択パラメータは、前記総括的解放メッセージの移動端末グローバルアイデンティティ情報要素（３−Ｉ）に含まれることを特徴とする請求項２に記載の方法。
【請求項６】
前記第１の選択パラメータは、前記総括的解放メッセージの無線ネットワークの一時的アイデンティティ（Ｕ−ＲＮＴＩ）情報要素に含まれることを特徴とする請求項５に記載の方法。
【請求項７】
前記第１の選択パラメータは、前記総括的解放メッセージの在圏無線ネットワークの一時的アイデンティティ（Ｓ−ＲＮＴＩ）情報要素に含まれることを特徴とする請求項６に記載の方法。
【請求項８】
無線アクセスネットワークは、無線ネットワーク制御（ＲＮＣ）ノードを有し、
前記方法は、さらに、前記総括的解放メッセージを準備することにより、その第１の選択パラメータが第１の所定の値をもち、そして、その第２の選択パラメータが第２の所定の値をもつとき、前記無線ネットワーク制御（ＲＮＣ）ノードにより制御されるセルにおける全ての無線接続が解放されることを特徴とする請求項１に記載の方法。
【請求項９】
前記第１の選択パラメータが予約された第１の範囲の値にあるとき、前記無線ネットワーク制御（ＲＮＣ）ノードにより制御されるセルにおける全ての無線接続が解放されることを特徴とする請求項８に記載の方法。
【請求項１０】
前記第２の選択パラメータが予約された第２の範囲の値にあるとき、前記無線ネットワーク制御（ＲＮＣ）ノードにより制御されるセルにおける全ての無線接続が解放されることを特徴とする請求項８に記載の方法。
【請求項１１】
前記無線ネットワーク制御（ＲＮＣ）ノードがドリフト無線ネットワーク制御（ＤＲＮＣ）ノードであるとき、
前記ドリフト無線ネットワーク制御（ＤＲＮＣ）ノードが障害時には、さらに、前記総括的解放メッセージを準備することを特徴とする請求項８に記載の方法。
【請求項１２】
前記第１の選択パラメータは、前記総括的解放メッセージの移動端末グローバルアイデンティティ情報要素（３−Ｉ）に含まれることを特徴とする請求項８に記載の方法。
【請求項１３】
前記第１の選択パラメータは、前記総括的解放メッセージの無線ネットワークの一時的アイデンティティ（Ｕ−ＲＮＴＩ）情報要素に含まれることを特徴とする請求項１２に記載の方法。
【請求項１４】
前記第１の選択パラメータは、前記総括的解放メッセージの在圏無線ネットワークの一時的アイデンティティ（Ｓ−ＲＮＴＩ）情報要素にあることを特徴とする請求項１３に記載の方法。
【請求項１５】
前記第２の選択パラメータは、在圏無線ネットワーク制御（ＳＲＮＣ）ノードを識別するパラメータに含まれていることを特徴とする請求項８に記載の方法。
【請求項１６】
さらに、移動端末がＣＥＬＬ＿ＦＡＣＨ状態にあるとき、共通制御チャネル（ＣＣＣＨ）で前記総括的解放メッセージを送信することを特徴とする請求項１に記載の方法。
【請求項１７】
さらに、呼出チャネル（ＰＣＨ）で前記総括的解放メッセージを送信することを特徴とする請求項１に記載の方法。
【請求項１８】
前記無線アクセスネットワークは、在圏無線ネットワーク制御局ノード（２６1）とドリフト無線ネットワーク制御局ノード（２６2）とを有しており、
前記方法は、さらに、前記在圏無線ネットワーク制御局ノードから前記ドリフト無線ネットワーク制御局ノードに、前記ドリフト無線ネットワーク制御局ノードによって制御されるセルにおいて、前記在圏無線ネットワーク制御局ノードによって制御される移動端末との接続解放の要求を送信し、
前記ドリフト無線ネットワーク制御局ノードから前記ドリフト無線ネットワーク制御局ノードによって制御される基地局に、前記総括的解放メッセージを送信することを特徴とする請求項１に記載の方法。
【請求項１９】
前記無線アクセスネットワークは、在圏無線ネットワーク制御局ノード（２６1）とドリフト無線ネットワーク制御局ノード（２６2）とを有しており、
前記方法は、さらに、前記在圏無線ネットワーク制御局ノードとの接続の喪失の徴候を前記ドリフト無線ネットワーク制御局ノードにおいて受信し、
前記ドリフト無線ネットワーク制御局ノードによって制御されるセルにおいて、前記在圏無線ネットワーク制御局ノードによって制御される移動端末との接続に関し、前記ドリフト無線ネットワーク制御局ノードから前記ドリフト無線ネットワーク制御局ノードによって制御される基地局に、前記総括的解放メッセージを送信することを特徴とする請求項１に記載の方法。
【請求項２０】
通信システム（１０）の無線アクセスネットワーク（２４）であって、
総括的解放メッセージを準備して前記無線アクセスネットワークによって扱われる複数の接続を解放する無線ネットワーク制御（ＲＮＣ）ノード（２６）を有することを特徴とする無線アクセスネットワーク。
【請求項２１】
前記総括的解放メッセージの第１の選択パラメータが所定の値をもつとき、前記無線ネットワーク制御（ＲＮＣ）ノードにより制御される全ての無線接続が解放されることを特徴とする請求項２０に記載の無線アクセスネットワーク。
【請求項２２】
前記第１の選択パラメータが予約された範囲の値にあるとき、前記無線ネットワーク制御（ＲＮＣ）ノードにより制御される全ての無線接続が解放されることを特徴とする請求項２１に記載の無線アクセスネットワーク。
【請求項２３】
前記無線ネットワーク制御（ＲＮＣ）ノードは在圏無線ネットワーク制御（ＳＲＮＣ）ノードであり、
前記在圏無線ネットワーク制御（ＳＲＮＣ）ノードが障害時には、前記在圏無線ネットワーク制御（ＳＲＮＣ）ノードは、前記総括的解放メッセージを準備することを特徴とする請求項２１に記載の無線アクセスネットワーク。
【請求項２４】
前記第１の選択パラメータは、前記総括的解放メッセージの移動端末グローバルアイデンティティ情報要素（３−Ｉ）に含まれることを特徴とする請求項２１に記載の無線アクセスネットワーク。
【請求項２５】
前記第１の選択パラメータは、前記総括的解放メッセージの無線ネットワークの一時的アイデンティティ（Ｕ−ＲＮＴＩ）情報要素に含まれることを特徴とする請求項２４に記載の無線アクセスネットワーク。
【請求項２６】
前記第１の選択パラメータは、前記総括的解放メッセージの在圏無線ネットワークの一時的アイデンティティ（Ｓ−ＲＮＴＩ）情報要素にあることを特徴とする請求項２５に記載の無線アクセスネットワーク。
【請求項２７】
前記総括的解放メッセージの第１の選択パラメータが第１の所定の値をもち、そして、前記総括的解放メッセージの第２の選択パラメータが第２の所定の値をもつとき、前記無線ネットワーク制御（ＲＮＣ）ノードにより制御されるセルにおける全ての無線接続が解放されることを特徴とする請求項２０に記載の無線アクセスネットワーク。
【請求項２８】
前記第１の選択パラメータが予約された第１の範囲の値にあるとき、前記無線ネットワーク制御（ＲＮＣ）ノードにより制御されるセルにおける全ての無線接続が解放されることを特徴とする請求項２７に記載の無線アクセスネットワーク。
【請求項２９】
前記第２の選択パラメータが予約された第２の範囲の値にあるとき、前記無線ネットワーク制御（ＲＮＣ）ノードにより制御されるセルにおける全ての無線接続が解放されることを特徴とする請求項２７に記載の無線アクセスネットワーク。
【請求項３０】
前記無線ネットワーク制御（ＲＮＣ）ノードがドリフト無線ネットワーク制御（ＤＲＮＣ）ノード（２６2）であり、
前記ドリフト無線ネットワーク制御（ＤＲＮＣ）ノードが障害時には、前記ドリフト無線ネットワーク制御（ＤＲＮＣ）ノードは、前記総括的解放メッセージを準備することを特徴とする請求項２７に記載の無線アクセスネットワーク。
【請求項３１】
前記第１の選択パラメータは、前記総括的解放メッセージの移動端末グローバルアイデンティティ情報要素（３−Ｉ）に含まれることを特徴とする請求項２７に記載の無線アクセスネットワーク。
【請求項３２】
前記第１の選択パラメータは、前記総括的解放メッセージの無線ネットワークの一時的アイデンティティ（Ｕ−ＲＮＴＩ）情報要素に含まれることを特徴とする請求項３１に記載の無線アクセスネットワーク。
【請求項３３】
前記第１の選択パラメータは、前記総括的解放メッセージの在圏無線ネットワークの一時的アイデンティティ（Ｓ−ＲＮＴＩ）情報要素にあることを特徴とする請求項３２に記載の無線アクセスネットワーク。
【請求項３４】
前記第２の選択パラメータは、在圏無線ネットワーク制御（ＳＲＮＣ）ノードを識別するパラメータに含まれていることを特徴とする請求項２７に記載の無線アクセスネットワーク。
【請求項３５】
移動端末がＣＥＬＬ＿ＦＡＣＨ状態にあるとき、共通制御チャネル（ＣＣＣＨ）で前記総括的解放メッセージは送信されることを特徴とする請求項２０に記載の無線アクセスネットワーク。
【請求項３６】
呼出チャネル（ＰＣＨ）で前記総括的解放メッセージは送信されることを特徴とする請求項２０に記載の無線アクセスネットワーク。
【請求項３７】
在圏無線ネットワーク制御局ノード（２６1）とドリフト無線ネットワーク制御局ノード（２６2）とをさらに有し、
前記在圏無線ネットワーク制御局ノードは、前記ドリフト無線ネットワーク制御局ノードに、前記ドリフト無線ネットワーク制御局ノードによって制御されるセルにおいて、前記在圏無線ネットワーク制御局ノードによって制御される移動端末との接続解放の要求を送信し、
前記ドリフト無線ネットワーク制御局ノードは、前記ドリフト無線ネットワーク制御局ノードによって制御される基地局に、前記総括的解放メッセージを送信することを特徴とする請求項２０に記載の無線アクセスネットワーク。
【請求項３８】
在圏無線ネットワーク制御局ノード（２６1）とドリフト無線ネットワーク制御局ノード（２６2）とをさらに有し、
前記ドリフト無線ネットワーク制御局ノードは、前記在圏無線ネットワーク制御局ノードとの接続の喪失の徴候を受信し、
その後、前記ドリフト無線ネットワーク制御局ノードによって制御されるセルにおいて、前記在圏無線ネットワーク制御局ノードによって制御される移動端末との接続に関し、前記ドリフト無線ネットワーク制御局ノードによって制御される基地局に、前記総括的解放メッセージを送信することを特徴とする請求項２０に記載の無線アクセスネットワーク。
【請求項３９】
通信システム（１０）の無線アクセスネットワーク（２４）の無線ネットワーク制御（ＲＮＣ）ノードであって、
総括的解放メッセージを準備して前記無線アクセスネットワークによって扱われる複数の接続を解放することを特徴とする無線ネットワーク制御（ＲＮＣ）ノード。
【請求項４０】
前記総括的解放メッセージの第１の選択パラメータが所定の値をもつとき、前記無線ネットワーク制御（ＲＮＣ）ノードにより制御される全ての無線接続が解放されることを特徴とする請求項３９に記載の無線ネットワーク制御（ＲＮＣ）ノード。
【請求項４１】
前記第１の選択パラメータが予約された範囲の値にあるとき、前記無線ネットワーク制御（ＲＮＣ）ノードにより制御される全ての無線接続が解放されることを特徴とする請求項４０に記載の無線ネットワーク制御（ＲＮＣ）ノード。
【請求項４２】
前記無線ネットワーク制御（ＲＮＣ）ノードは在圏無線ネットワーク制御（ＳＲＮＣ）ノード（２６1）であり、
前記在圏無線ネットワーク制御（ＳＲＮＣ）ノードが障害時には、前記在圏無線ネットワーク制御（ＳＲＮＣ）ノードは、前記総括的解放メッセージを準備することを特徴とする請求項４１に記載の無線ネットワーク制御（ＲＮＣ）ノード。
【請求項４３】
前記第１の選択パラメータは、前記総括的解放メッセージの移動端末グローバルアイデンティティ情報要素（３−Ｉ）に含まれることを特徴とする請求項３８に記載の無線ネットワーク制御（ＲＮＣ）ノード。
【請求項４４】
前記第１の選択パラメータは、前記総括的解放メッセージの無線ネットワークの一時的アイデンティティ（Ｕ−ＲＮＴＩ）情報要素に含まれることを特徴とする請求項４３に記載の無線ネットワーク制御（ＲＮＣ）ノード。
【請求項４５】
前記第１の選択パラメータは、前記総括的解放メッセージの在圏無線ネットワークの一時的アイデンティティ（Ｓ−ＲＮＴＩ）情報要素にあることを特徴とする請求項４４に記載の無線ネットワーク制御（ＲＮＣ）ノード。
【請求項４６】
前記総括的解放メッセージの第１の選択パラメータが第１の所定の値をもち、そして、前記総括的解放メッセージの第２の選択パラメータが第２の所定の値をもつとき、前記無線ネットワーク制御（ＲＮＣ）ノードにより制御されるセルにおける全ての無線接続が解放されることを特徴とする請求項３９に記載の無線ネットワーク制御（ＲＮＣ）ノード。
【請求項４７】
前記第１の選択パラメータが予約された第１の範囲の値にあるとき、前記無線ネットワーク制御（ＲＮＣ）ノードにより制御されるセルにおける全ての無線接続が解放されることを特徴とする請求項４６に記載の無線ネットワーク制御（ＲＮＣ）ノード。
【請求項４８】
前記第２の選択パラメータが予約された第２の範囲の値にあるとき、前記無線ネットワーク制御（ＲＮＣ）ノードにより制御されるセルにおける全ての無線接続が解放されることを特徴とする請求項４６に記載の無線ネットワーク制御（ＲＮＣ）ノード。
【請求項４９】
前記無線ネットワーク制御（ＲＮＣ）ノードがドリフト無線ネットワーク制御（ＤＲＮＣ）ノードであるとき、
前記ドリフト無線ネットワーク制御（ＤＲＮＣ）ノードが障害時には、前記ドリフト無線ネットワーク制御（ＤＲＮＣ）ノードは、前記総括的解放メッセージを準備することを特徴とする請求項４６に記載の無線ネットワーク制御（ＲＮＣ）ノード。
【請求項５０】
前記第１の選択パラメータは、前記総括的解放メッセージの移動端末グローバルアイデンティティ情報要素に含まれることを特徴とする請求項４６に記載の無線ネットワーク制御（ＲＮＣ）ノード。
【請求項５１】
前記第１の選択パラメータは、前記総括的解放メッセージの無線ネットワークの一時的アイデンティティ（Ｕ−ＲＮＴＩ）情報要素に含まれることを特徴とする請求項５０に記載の無線ネットワーク制御（ＲＮＣ）ノード。
【請求項５２】
前記第１の選択パラメータは、前記総括的解放メッセージの在圏無線ネットワークの一時的アイデンティティ（Ｓ−ＲＮＴＩ）情報要素にあることを特徴とする請求項５１に記載の無線ネットワーク制御（ＲＮＣ）ノード。
【請求項５３】
前記第２の選択パラメータは、在圏無線ネットワーク制御（ＳＲＮＣ）ノードを識別するパラメータに含まれていることを特徴とする請求項４６に記載の無線ネットワーク制御（ＲＮＣ）ノード。
【請求項５４】
移動端末がＣＥＬＬ＿ＦＡＣＨ状態にあるとき、共通制御チャネル（ＣＣＣＨ）で前記総括的解放メッセージは送信されることを特徴とする請求項３９に記載の無線ネットワーク制御（ＲＮＣ）ノード。
【請求項５５】
呼出チャネル（ＰＣＨ）で前記総括的解放メッセージは送信されることを特徴とする請求項３９に記載の無線ネットワーク制御（ＲＮＣ）ノード。
【請求項５６】
前記無線ネットワーク制御ノードはドリフト無線ネットワーク制御局ノードであり、
前記ドリフト無線ネットワーク制御局ノードは、在圏無線ネットワーク制御局ノードから、前記ドリフト無線ネットワーク制御局ノードによって制御されるセルにおいて、前記在圏無線ネットワーク制御局ノードによって制御される移動端末との接続解放の要求を受信し、
前記ドリフト無線ネットワーク制御局ノードは、前記ドリフト無線ネットワーク制御局ノードによって制御される基地局に、前記総括的解放メッセージを送信することを特徴とする請求項３９に記載の無線ネットワーク制御（ＲＮＣ）ノード。
【請求項５７】
前記無線ネットワーク制御ノードはドリフト無線ネットワーク制御局ノードであり、
前記ドリフト無線ネットワーク制御局ノードは、在圏無線ネットワーク制御局ノードとの接続の喪失の徴候を受信し、その後、前記ドリフト無線ネットワーク制御局ノードによって制御されるセルにおいて、前記在圏無線ネットワーク制御局ノードによって制御される移動端末との接続に関し、前記ドリフト無線ネットワーク制御局ノードによって制御される基地局に、前記総括的解放メッセージを送信することを特徴とする請求項３９に記載の無線ネットワーク制御（ＲＮＣ）ノード。
【請求項５８】
移動端末（３０）であって、
通信システム（１０）の無線アクセスネットワーク（２４）からの解放メッセージの受信時、総括的解放メッセージの第１の選択パラメータが前記移動端末にユニークではない所定の値をもつとき、前記無線アクセスネットワークとの無線接続を解放することを特徴とする無線端末。
【請求項５９】
前記第１の選択パラメータが予約された範囲の値にあるとき、前記無線端末は、前記無線アクセスネットワークノードとの無線接続を解放することを特徴とする請求項５８に記載の移動端末。
【請求項６０】
前記第１の選択パラメータは、前記総括的解放メッセージの移動端末グローバルアイデンティティ情報要素に含まれることを特徴とする請求項５８に記載の移動端末。
【請求項６１】
前記第１の選択パラメータは、前記総括的解放メッセージの無線ネットワークの一時的アイデンティティ（Ｕ−ＲＮＴＩ）情報要素に含まれることを特徴とする請求項５８に記載の移動端末。
【請求項６２】
前記第１の選択パラメータは、前記総括的解放メッセージの在圏無線ネットワークの一時的アイデンティティ（Ｓ−ＲＮＴＩ）情報要素にあることを特徴とする請求項６１に記載の移動端末。
【請求項６３】
前記移動端末がＣＥＬＬ＿ＦＡＣＨ状態にあるとき、共通制御チャネル（ＣＣＣＨ）で前記総括的解放メッセージは受信されることを特徴とする請求項５８に記載の移動端末。
【請求項６４】
呼出チャネル（ＰＣＨ）で前記総括的解放メッセージは受信されることを特徴とする請求項５８に記載の移動端末。
【発明の詳細な説明】
【技術分野】
【０００１】
本発明は無線通信に関し、特に、無線アクセスネットワークにおける無線接続の解放に関するものである。
【背景技術】
【０００２】
典型的なセルラ無線システムにおいて、移動体のユーザ機器ユニット（ＵＥｓ）は無線アクセスネットワーク（ＲＡＮ）を介して１つ以上のコアネットワークと通信する。ここで、“ユーザ機器ユニット（ＵＥ）”という用語は移動端末と移動局に同意義で用いられる。そのユーザ機器ユニット（ＵＥｓ）は移動体電話（“セルラ”電話）のような移動局や移動端末となるラップトップでも良く、従って、例えば、音声とデータの少なくともいずれかを無線アクセスネットワークと通信するポータブル、ポケット、ハンドヘルド、コンピュータ内蔵、或いは、車載用の移動機器であっても良い。
【０００３】
無線アクセスネットワーク（ＲＡＮ）はセルに分割され、その各々が基地局によってサービスを受ける地理的な領域をカバーしている。セルは基地局サイトにおいて無線基地局の機器によって備えられる無線領域となる地理的な領域である。基地局は空中インタフェース（例えば、無線周波数）により基地局範囲内でユーザ機器ユニット（ＵＥ）と通信する。無線アクセスネットワークでは、幾つかの基地局は通常（例えば、ランドライン或いはマイクロ波により）無線ネットワーク制御局（ＲＮＣ）に接続される。無線ネットワーク制御局はまた、しばしば、基地局制御局（ＢＳＣ）とも呼ばれ、それに接続される複数の基地局の種々のアクティビティを監視、調整する。無線ネットワーク制御局は通常、１つ以上のコアネットワークノードに接続される。
【０００４】
無線アクセスネットワークの一例は、全球規模の移動体通信サービス（ＵＭＴＳ）の地上無線アクセス網（ＵＴＲＡＮ）である。ＵＭＴＳは、いくつかの点で、欧州において開発された汎欧州デジタル移動電話方式（ＧＳＭ）として知られる無線アクセス技術の上に構築する第３世代のシステムである。ＵＴＲＡＮは本質的にはユーザ機器ユニット（ＵＥｓ）に広帯域符号分割多元接続（ＷＣＤＭＡ）を提供する無線アクセスネットワークである。
【０００５】
当業者であれば認識するように、Ｗ−ＣＤＭＡ技術においては、共通周波数帯域を用いることにより、ユーザ機器ユニット（ＵＥ）と複数の基地局との間での同時通信が可能になる。共通の周波数帯域を占有している信号は、受信局において、高速擬似雑音（ＰＮ）符号の使用に基づくスペクトラム拡散ＣＤＭＡ波形の特性により判別される。これら高速ＰＮ符号が用いられて基地局とユーザ機器ユニット（ＵＥｓ）から送信される信号を変調する。異なるＰＮ符号（或いは、時間的にオフセットしたＰＮ符号）を用いた送信局は受信局で別々に復調される信号を生成する。また、高速ＰＮ変調により、受信局は、幾つかの明瞭に異なる伝播経路をもつ送信信号を結合することにより単一の送信局からの受信信号を都合良く生成することができる。ＣＤＭＡでは、それ故に、ユーザ機器ユニット（ＵＥｓ）は、１つのセルから別のセルへの接続のハンドオフがなされるとき、周波数を切り替える必要がない。その結果、宛て先セルは、元々のセルがその接続サービスを続けているのと同時に、ユーザ機器ユニット（ＵＥ）への接続をサポートできる。ユーザ機器ユニット（ＵＥ）はハンドオーバ期間中は少なくとも１つのセルを通して常に通信を行なっているので、呼に対する中断はない。それ故、“ソフトハンドオーバ”という用語がある。ハードハンドオーバとは反対に、ソフトハンドオーバは“中断前に実行する（make-before-break）”切り替え動作なのである。
【０００６】
ＵＴＲＡＮには興味のあるいくつかのインタフェースがある。無線ネットワーク制御局（ＲＮＣｓ）とコアネットワークとの間のインタフェースは“Ｉｕ”インタフェースと呼ばれる。無線ネットワーク制御局（ＲＮＣ）とその基地局（ＢＳｓ）との間のインタフェースは“Ｉｕｂ”インタフェースと呼ばれる。ユーザ機器ユニット（ＵＥ）と基地局との間のインタフェースは“空中インタフェース”或いは“無線インタフェース”或いは“Ｕｕインタフェース”と呼ばれる。いくつかの例において、接続には在圏或いはソースＲＮＣ（ＳＲＮＣ）とターゲット或いはドリフトＲＮＣ（ＤＲＮＣ）との両方が関与する。ＳＲＮＣは接続を制御するが、ＤＲＮＣによって扱われる接続の１つ以上の分散した脚がある。ＲＮＣ間トランスポートリンクは、ソースＲＮＣとドリフト或いはターゲットＲＮＣとの間での制御とデータ信号のトランスポートのために利用され、例えば、特許文献１（国際出願番号ＰＣＴ／ＵＳ９４／１２４１９）に記載されているように、それは、直接リンクか或いは論理リンクでも良い。無線ネットワーク制御局間（例えば、在圏ＲＮＣ（ＳＲＮＣ）とドリフトＲＮＣ（ＤＲＮＣ）との間）のインタフェースは“Ｉｕｒ”インタフェースと呼ばれる。
【０００７】
無線ネットワーク制御局（ＲＮＣ）はＵＴＲＡＮを制御する。その制御の役割を成し遂げる際、ＲＮＣはＵＴＲＡＮの資源を管理する。ＲＮＣにより管理されるそのような資源は、（数ある中でも）基地局により送信されるダウンリンク（ＤＬ）電力と、基地局によって感知されるアップリンク（ＵＬ）干渉と、基地局にあるハードウェアとを含む。
【０００８】
当業者であれば、あるＲＡＮ−ＵＥ接続に関して、ＲＮＣは在圏ＲＮＣ（ＳＲＮＣ）の役割をもつか、或いは、ドリフトＲＮＣ（ＤＲＮＣ）の役割をもつことができる。もし、ＲＮＣが在圏ＲＮＣ（ＳＲＮＣ）であるなら、そのＲＮＣはユーザ機器ユニット（ＵＥ）との接続を担当し、例えば、無線アクセスネットワーク（ＲＡＮ）内でその接続について十分な制御を行なう。在圏ＲＮＣ（ＳＲＮＣ）はコアネットワークに接続される。これに対して、もしＲＮＣがドリフトＲＮＣ（ＤＲＮＣ）であるなら、それはユーザ機器ユニット（ＵＥ）との接続に必要な（ドリフトＲＮＣ（ＤＲＮＣ）によって制御されるセル内で）無線資源を供給することにより在圏ＲＮＣ（ＳＲＮＣ）をサポートする。ドリフト無線ネットワーク制御局（ＤＲＮＣ）とそのドリフト無線ネットワーク制御局（ＤＲＮＣ）によりＩｕｂインタフェースで制御される基地局とを含むシステムはここでは、ＤＲＮＣサブシステム或いはＤＲＮＳとして言及される。
【０００９】
ユーザ機器ユニット（ＵＥ）の動作は、２つのモード、即ち、アイドルモード（Idle Mode）と接続モード（Connection Mode）とをもつものとして概念化される。電源オンの後、アイドルモードに入る。アイドルモードでは、ユーザ機器ユニット（ＵＥ）とＵＴＲＡＮとの間には接続はない。接続が確立されると、ユーザ機器ユニット（ＵＥ）はＵ−ＲＮＴＩに割当てられ、ユーザ機器ユニット（ＵＥ）は接続モードに入る。Ｕ−ＲＮＴＩ（UTRAN Radio Network Temporary Identity：ＵＴＲＡＮ  無線ネットワークの一時的アイデンティティ（識別））は、グローバルなアイデンティティであり、それはＵＴＲＡＮのいずれのセルでも利用される。
【００１０】
接続モードの中では、４つの異なる状態、即ち、ＣＥＬＬ＿ＤＣＨ状態、ＣＥＬＬ＿ＦＡＣＨ状態、ＣＥＬＬ＿ＰＣＨ状態、及び、ＵＲＡ＿ＰＣＨがある。各状態は異なるレベルのアクティビティを反映している。
【００１１】
（ＵＴＲＡＮのような）無線アクセスネットワークと（ユーザ機器ユニット（ＵＥ）のような）移動端末との間の無線接続の解放には、接続モードを去りアイドルモードに入る移動端末が関与する。現在のセルラシステムでは、接続を解放するためのいくつかの方法がある。通常の場合には、ネットワークやユーザ機器ユニット（ＵＥ）はＲＥＬＥＡＳＥメッセージを他のパーティに専用制御チャネル（ＤＣＣＨ）で送信する。他のパーティでは検出されたチャネルを解放することにより、或いは、ＲＥＬＥＡＳＥ  ＣＯＭＰＬＥＴＥ或いは類似の確認応答メッセージを送信することにより、確認応答をして、そして、アイドルモードに入り、同様に開始側のパーティもアイドルモードに入ることができる。その解放後、新しく解放された接続により割当てられたＵ−ＲＮＴＩは、別の接続で再利用される。
【００１２】
ＷＣＤＭＡにおいて、共通制御チャネル（ＣＣＣＨ）でＲＥＬＥＡＳＥメッセージを送信する可能性が導入された。この解決策の目的は、もし、ＳＲＮＣがそのメッセージを送信することができないなら（ＤＣＣＨはＳＲＮＣで発信する）、ＤＲＮＣが与えられたユーザ機器ユニット（ＵＥ）への接続を解放することを可能にすることである。
【００１３】
障害の場合、即ち、無線接続が喪失したとき、ユーザ機器ユニット（ＵＥ）とＵＴＲＡＮとは障害が検出されるとアイドルモードに入る。物理チャネルがその場合には喪失するので、障害検出は、ＣＥＬＬ＿ＤＣＨ状態においてが最も速い。ＣＥＬＬ＿ＦＡＣＨ、ＣＥＬＬ＿ＰＣＨ、及びＵＲＡ＿ＰＣＨ状態では、障害検出は非常に遅い。なぜなら、それらは設定分毎の周期的な監視機構に依存しており、そこでは、ユーザ機器ユニット（ＵＥ）はその状態に依存して周期的なＣＥＬＬ  ＵＰＤＡＴＥ、或いはＵＲＡ  ＵＰＤＡＴＥを行なう。
【特許文献１】
国際出願公開公報ＷＯ９５／１５６６５
【発明の開示】
【発明が解決しようとする課題】
【００１４】
しかしながら、従来のやり方では、一回にだた１つのユーザ機器ユニット（ＵＥ）をＵＴＲＡＮからそのユーザ機器ユニット（ＵＥ）に送信されたＲＥＬＥＡＳＥメッセージを用いて解放することができる。ＵＥを基本にしたことによるＵＥでの無線接続の解放はたいていの場合には満足するものである。しかしながら、ＲＮＣ（ＳＲＮＣ或いはＤＲＮＣ）に属する全ての接続を解放しなければならない（ＲＮＣの再起動或いは再設定をコアネットワークから受信するような）障害の事態においては、この従来のやり方では途方もない量の信号メッセージを必要とする。そのような大量の信号は無線ネットワーク制御（ＲＮＣ）ノードにおける大きな負荷の原因ともなり、同様に、無線インタフェースにおいてもである。資源は限られているので、ＲＥＬＥＡＳＥメッセージは全てのＵＥに即時的には送信されず、従って、送信するのにはいくらかの時間を要することになる。この遅延はユーザにとっては通常、不便なものになる。さらにその上、この遅延は、最初のユーザ機器ユニット（ＵＥ）によって既に使用中であるＵ−ＲＮＴＩが新しい接続に早まって割当てられるという危険を増大させてしまう。さらにその上、無線ネットワーク制御（ＲＮＣ）ノードの再起動の場合、そのＲＮＣはその再起動前にどのＵ−ＲＮＴＩｓがユーザ機器ユニット（ＵＥｓ）に割当てられていたのかを思いだすことはできないかもしれない。
【００１５】
それ故に必要なことと本発明の目的とは、無線アクセスネットワークにおける無線接続のより効率的な解放を提供する技術を備えることである。
【００１６】
発  明  の  要  約
本発明を１つの側面から見ると、本発明は無線アクセスネットワークを動作させる方法に関し、そのネットワークでは、総括的解放メッセージとして知られる単一の解放メッセージを用いて複数の無線接続が解放される。本発明を別の側面から見ると、本発明は無線アクセスネットワークとその制御ノードに関し、その制御ノードでは総括的解放メッセージを用いて複数の無線接続を解放する。本発明をさらに別の側面から見ると、本発明は無線アクセスネットワークから送信された総括的解放メッセージを認識する移動端末であり、それはそのメッセージに応答して無線接続を解放する。
【課題を解決するための手段】
【００１７】
本発明の第１の態様例によれば、無線アクセスネットワークの制御ノードは総括的解放メッセージを準備し、その第１の選択パラメータが所定の値をもつとき、無線ネットワーク制御（ＲＮＣ）ノードにより制御される全ての無線接続が解放されるようにする。その所定の値は、予約された範囲の値にある値で良く、第１のパラメータについてその予約された範囲の値のいずれかの値を用いて、無線ネットワーク制御（ＲＮＣ）ノードにより制御される全ての無線接続が解放されること指示する。その第１の態様例では、第１の選択パラメータは総括的解放メッセージの移動端末グローバルアイデンティティ情報要素に含まれる。例えば、その第１の選択パラメータは、在圏無線ネットワークの一時的アイデンティティ（Ｓ−ＲＮＴＩ）情報要素のような総括的解放メッセージの無線ネットワークの一時的アイデンティティ（Ｕ−ＲＮＴＩ）情報要素に含まれる。第１の態様では、その無線ネットワーク制御（ＲＮＣ）ノードは、在圏無線ネットワーク制御（ＳＲＮＣ）ノード、或いはドリフト無線ネットワーク制御（ＤＲＮＣ）ノードである。１つの例示的な実施形では、第１の態様は、その在圏無線ネットワーク制御（ＳＲＮＣ）ノードが障害時に実行される（例えば、総括的解放メッセージを準備される）。
【００１８】
本発明の第２の態様例によれば、無線アクセスネットワークの制御ノードは総括的解放メッセージを準備し、その第１の選択パラメータが所定の値をもち、そして、その第２の選択パラメータが第２の所定の値をもつとき、無線ネットワーク制御ノードにより制御されるセルにおける全ての無線接続が解放されるようにする。この第２の態様では、総括的解放メッセージを準備する無線ネットワーク制御（ＲＮＣ）は、ドリフト無線ネットワーク制御（ＤＲＮＣ）ノードであり、そして、ドリフト無線ネットワーク制御（ＤＲＮＣ）ノードが障害時に、総括的解放メッセージの準備が生じる。第１の態様のように、第２の態様においても、第１の選択パラメータは、予約された第１の範囲の値に属し、第２の選択パラメータは予約された第２の範囲の値に属することができる。第２の態様の実施形では、第１の選択パラメータと第２の選択パラメータの両方が、総括的解放メッセージの移動端末グローバルアイデンティティ情報要素、例えば、総括的解放メッセージの無線ネットワークの一時的アイデンティティ（Ｕ−ＲＮＴＩ）情報要素に含まれる。例えば、第１の選択パラメータは、在圏無線ネットワークの一時的アイデンティティ（Ｓ−ＲＮＴＩ）情報要素にある一方で、第２の選択パラメータは、在圏無線ネットワーク制御（ＳＲＮＣ）ノードを識別するパラメータに含まれているようにできる。
【００１９】
図示された実施例では、総括的解放メッセージは、ＣＥＬＬ＿ＦＡＣＨ状態における共通制御チャネル（ＣＣＣＨ）か、或いは呼出チャネル（ＰＣＨ）において送信される。
【発明を実施するための最良の形態】
【００２０】
本発明の前述の、そして他の目的と特徴と利点とは、添付図面に図示されたように、好適な実施例についての次のより具体的な説明から明らかになるであろう。その添付図面において、参照番号は種々の観点から見た同じ部分に言及している。それら図面は必ずしも同じ縮尺で描かれているわけではなく、その代わり、本発明の原理を図示することに強調が置かれている。
【００２１】
次の記述は、説明を目的としたものであり、本発明を限定することを目的とするものではない。本発明についての完全な理解を提供するために、特定のアーキテクチュア、インタフェース、技術などの具体的な詳細が説明される。しかしながら、本発明はこれらの具体的な詳細を離れた別の実施例においても実施されても良いことは当業者には明らかなことであろう。別の例においては、公知の機器、回路、また方法の詳細な説明については、本発明の説明を不必要な詳細の説明であいまいにすることのないように省略している。さらにその上、個々の機能ブロックについては、いくつかの図面で示されている。当業者であれば、その機能が個々のハードウェア回路を用いるか、適切にプログラムされたデジタル・マイクロプロセッサ或いは汎用コントローラと関連したソフトウェア機能を用いるか、アプリケーション専用集積回路（ＡＳＩＣ）を用いるか、或いは、１つ以上のデジタル信号プロセッサ（ＤＳＰ）を用いるかの少なくともいずれかを用いることにより実施されても良いことを認識するであろう。
【００２２】
本発明の第１の態様は、図１に示された世界規模の移動体通信サービス（ＵＭＴＳ）１０の非限定的な例の環境で説明される。雲１２として示される代表的な接続志向型の外部コアネットワークは（例えば）公衆電話交換網（ＰＳＴＮ）と統合サービスデジタルネットワーク（ＩＳＤＮ）との少なくともいずれかであるかもしれない。雲１４として示される代表的な非接続志向型のコアネットワークは、例えば、インターネットであるかもしれない。両方のコアネットワークはそれらの対応するサービスノード１６に接続される。ＰＳＴＮ／ＩＳＤＮ接続志向型のネットワーク１２は回路交換サービスを提供する移動体交換センタ（ＭＳＣ）ノード１８として示されている接続志向型のサービスノードである。インターネットの非接続志向型のネットワーク１４は、しばしば在圏ＧＰＲＳサービスノード（ＳＧＳＮ）として言及されるパケット交換タイプのサービスを提供するために調整された汎用パケット無線サービス（ＧＰＲＳ）２０ノードである。
【００２３】
コアネットワークサービスノード１８と２０の夫々は、ＵＭＴＳ地上無線アクセス網（ＵＴＲＡＮ）２４にＩｕインタフェースとして言及される無線アクセスネットワーク（ＲＡＮ）のインタフェースにより接続する。ＵＴＲＡＮ２４は、１つ以上の無線ネットワーク制御局（ＲＮＣｓ）２６を含む。説明を簡単にするために、図１のＵＴＲＡＮ２４にはただ２つのＲＮＣノード、特に、ＲＮＣ２６1とＲＮＣ２６2とが示されている。各ＲＮＣ２６は複数の基地局（ＢＳ）２８に接続される。例えば、また説明を簡単にするために、各ＲＮＣ２６には２つの基地局ノードが接続されるように示されている。この点について、ＲＮＣ２６1は基地局２８1-1と基地局２８1-2とにサービスを行なう一方で、ＲＮＣ２６2は基地局２８2-1と基地局２８2-2とにサービスを行なう。異なる数の基地局が各ＲＮＣによってサービスを受けることができ、ＲＮＣは同じ数の基地局にサービスを行なう必要はないことが認識されるであろう。さらにその上、図１はＲＮＣはＩｕｒインタフェースによりＵＴＲＡＮ２４において１つ以上のＲＮＣに接続されることを示している。
【００２４】
例示された実施形態では、説明を簡単にするために、各基地局２８は１つのセルにサービスを行なうものとして示されている。各セルは各基地局を取り囲む円によって表現されている。しかしながら、当業者であれば、基地局は２つ以上のセルのために空中インタフェースにより通信を行なうためにサービスを行なっても良いことを認識するであろう。例えば、２つのセルは同じ基地局サイトに位置した資源を利用することもできる。
【００２５】
図１に示されたユーザ機器ユニット（ＵＥｓ）３０のようなユーザ機器ユニット（ＵＥｓ）は夫々、無線或いは空中インタフェースにより１つ以上のセル或いは１つ以上の基地局（ＢＳ）２８と通信を行なう。Ｉｕインタフェース、Ｉｕｂインタフェース、及びＩｕｒインタフェースの夫々は図１において一点鎖線で示されており、空中インタフェース３２は図８において一点鎖線で示されている。
【００２６】
好適には、無線接続は広帯域符号分割多元接続（ＷＣＤＭＡ）に基づいており、個々の無線チャネルはＣＤＭＡ拡散符号を用いて割当てられる。もちろん、他のアクセス方法を用いることもできる。ＷＣＤＭＡはマルチメディアサービスと他の高速送信要求のために広帯域を備えるとともに、ダイバーシティ・ハンドオフとＲＡＫＥ受信機のような耐性の強い特徴を備え高品質を保証している。各ユーザ移動局或いは機器ユニット（ＵＥ）３０には自分自身のスクランブルコードが割当てられ、基地局２８が特定のユーザ機器ユニットからの送信を識別するとともに、ユーザ機器ユニット（ＵＥ）がそのユーザ機器ユニット（ＵＥ）に対して意図された基地局からの送信を、その同じ領域内に存在する他の全ての送信と雑音とから識別する。
【００２７】
異なるタイプの制御チャネルが基地局２８の１つとユーザ機器ユニット（ＵＥｓ）３０との間に存在しても良い。例えば、フォワード或いはダウンリンク方向において、種々の別のタイプの制御メッセージをユーザ機器ユニット（ＵＥｓ）に提供するための汎用同報チャネル（ＢＣＨ）、呼出チャネル（ＰＣＨ）、共通パイロットチャネル（ＣＰＩＣＨ）、及びフォワードアクセスチャネル（ＦＡＣＨ）を含むいくつかのタイプの同報チャネルがある。リバース或いはアップリンク方向において、位置登録、発呼、呼出応答、及び他のタイプのアクセス動作を実行するためのアクセスが望まれるときにはいつでも、ランダムアクセスチャネル（ＲＡＣＨ）がユーザ機器ユニット（ＵＥｓ）によって用いられる。また、ランダムアクセスチャネル（ＲＡＣＨ）が、例えば、ウェブブラウザのアプリケーションにおけるウェブページ要求のようなショートデータパケットを搬送するために用いられる。
【００２８】
制御チャネルにより設定されるように、トラフィックチャネル（ＴＣＨ）が割当てられてユーザ機器ユニット（ＵＥ）との実質的な呼の通信を搬送する。そのトラフィックチャネルのいくつかは共通トラフィックチャネルで良いが、他のトラフィックチャネルは専用トラフィックチャネル（ＤＣＨ）で良い。
【００２９】
図８はユーザ機器ユニット（ＵＥ）３０の選択された汎用的な特徴と無線ネットワーク制御局２６と基地局２８のような例示的なノードとを示している。図８に示されたユーザ機器ユニット（ＵＥ）３０は、そのユーザ機器ユニット（ＵＥ）によって必要とされる種々の動作を制御するためのデータ処理及び制御ユニット３１を含んでいる。ＵＥのデータ処理及び制御ユニット３１は制御信号とともにアンテナ３５に接続された無線トランシーバ３３へのデータとを提供する。これ以後に述べる他の機能に加えて、ユーザ機器ユニット（ＵＥ）３０は、入力デバイス３１０とディスプレイデバイス３１２のようなユーザインタラクティブ或いはユーザが閲覧可能なデバイスをもつことができる。
【００３０】
図８に例示するような無線ネットワーク制御局２６と基地局２８とは、夫々が対応するデータ処理及び制御ユニット３６と３７とを夫々含み、ＲＮＣ２６とユーザ機器ユニット（ＵＥｓ）３０との間での通信を実行するのに必要な多くの無線及びデータ処理動作を実行する無線ネットワークノードである。基地局のデータ処理及び制御ユニット３７により制御される機器の一部は、１つ以上のアンテナ３９に接続された複数の無線トランシーバ３８を含んでいる。
【００３１】
本発明は、特に、無線接続の解放に関し、無線アクセスネットワークの制御ノードにより生成され、そして、そのノードから送信される総括的な接続解放メッセージの特徴をうまく描いている。その総括的解放メッセージは複数のユーザ機器ユニット（ＵＥｓ）に関与する複数の無線接続を解放するために用いられ、これにより、さもなければ複数の解放メッセージの送信となるものに伴う問題を取り除いている。
【００３２】
本発明の総括的解放メッセージは、複数のユーザ機器ユニット（ＵＥｓ）夫々に関与する複数の無線接続を解放するために役立つという意味において、複数接続の解放メッセージである。また、本発明の総括的解放メッセージは、そのペイロードが制御ノードから基地局に一度限り送信される必要があるだけで制御ノードにより制御され基地局によりサービスを受けている全ての無線接続を解放するという意味において、単一解放メッセージである。制御ノードが複数の基地局を制御し、その制御ノードが同報或いはマルチキャスト能力をもつとき、その総括的解放メッセージは、基地局によりサービスを受け制御ノードにより制御されるユーザ機器ユニット（ＵＥｓ）に関与する全ての無線制御を解放するために生成される必要のある唯一の解放メッセージであるという意味において、単一の解放メッセージである。さらにその上、その制御ノードは在圏無線ネットワーク制御ノードであり、それによって制御される無線接続がドリフト無線ネットワーク制御ノードにより制御される資源を利用するなら、その総括的解放メッセージは、その総括的解放メッセージのペイロードのたった１回の適用がドリフト無線ネットワーク制御ノードの資源を利用する制御ノードにより制御される全ての無線接続を解放するのに必要であるという意味において、単一の解放メッセージである。
【００３３】
図１は本発明の第１の態様例を示しており、在圏無線ネットワーク制御局（ＲＮＣ）２６1の形をした制御ノードは総括的解放メッセージ生成器１００1をもっている。図１の破線で示されているように、総括的解放メッセージ生成器１００1によって生成された総括的解放メッセージがＩｕｂインタフェースにより在圏無線ネットワーク制御局（ＲＮＣ）２６1によって、在圏無線ネットワーク制御局（ＲＮＣ）２６1により制御される基地局２８1-1と２８1-2の各々に適用されるとともに、ＲＮＣ間リンク２９によりドリフト無線ネットワーク制御局（ＤＲＮＣ）２６2に対しても適用される。
【００３４】
従って、図１のシナリオでは、基地局２８1-1と２８1-2の両方が現在のところ、在圏無線ネットワーク制御局（ＲＮＣ）２６1により制御される無線接続をもっており、ドリフト無線ネットワーク制御局（ＤＲＮＣ）２６2は現在のところ、在圏無線ネットワーク制御局（ＲＮＣ）２６1により制御される無線接続に関与する資源を制御すると想定される。事実、図１に示すシナリオでは、基地局２８1-1と２８1-2の両方が、在圏無線ネットワーク制御局（ＲＮＣ）２６1により制御される無線接続に関与した４つの図示されたユーザ機器ユニット（ＵＥｓ）３０にサービスを提供している。さらにその上、無線ネットワーク制御局（ＤＲＮＣ）２６2は、２つのユーザ機器ユニット（ＵＥｓ）３０に関与する無線接続についてドリフト無線ネットワーク制御局としての役目を果たす。ここで、その２つのユーザ機器ユニットの１つは基地局２８2-1によりサービスを受け、それらのユーザ機器ユニットの内のもう１つは基地局２８2-2によりサービスを受ける。在圏無線ネットワーク制御局（ＲＮＣ）２６1により制御される１個のセル当たり４つのユーザ機器ユニット（ＵＥｓ）の例と、ドリフト無線ネットワーク制御局（ＤＲＮＣ）２６2により制御される１個のセル当たり１つのユーザ機器ユニット（ＵＥ）とは、説明を簡単にするために用いられる簡単な例であることを認識されたい。しかし、おそらくは非常に多くの数の無線接続がセル当たり関与しているが、また、より少ない数の無線接続が与えられたセルによりサービスを受けるかもしれないこともあり得る。どんな場合でも、図１に示された全てのユーザ機器ユニット（ＵＥｓ）に関与する無線接続が、図１に破線で示された総括的解放メッセージの生成と送信時には解放される。
【００３５】
図２は、いくらかより詳細に、本発明の第１の態様の代表的な実施形の一部を示している。図２において、総括的解放メッセージ生成器１００1は、在圏無線ネットワーク制御局（ＲＮＣ）２６1に位置する接続解放機能１０２1を有するものとして示されている。接続解放機能１０２1は、汎用フォーマットを用いて正規の接続解放メッセージを準備する役目を果たしている。正規の接続解放メッセージは在圏無線ネットワーク制御局（ＲＮＣ）２６1によって生成された通常のタイプの接続解放メッセージであり、個々のユーザ機器ユニット（ＵＥ）との無線接続が解放されることになるとき生成され送信される。総括的解放メッセージ生成器１００1は示されているように接続解放機能１０２1の特別なルーチンであるか或いはサブセットでよく、或いはもし望まれるなら、別個の機能或いはユニットで良い。どんな場合でも、求められるとき、総括的解放メッセージ生成器１００1は、複数のユーザ機器ユニット（ＵＥｓ）に関与する複数の接続の接続解放を行なう総括的解放メッセージへと（図３に示されているような）汎用接続解放メッセージを変換する役割を果たす。
【００３６】
図示された実施形態では、総括的解放メッセージ生成器１００1は在圏無線ネットワーク制御局（ＲＮＣ）２６1で障害或いは故障があるときに実行される。図１は、特に、接続解放機能１０２1と総括的解放メッセージ生成器１００1に在圏無線ネットワーク制御局（ＲＮＣ）２６1によって制御される全ての無線接続を解放することを要求する在圏無線ネットワーク制御局（ＲＮＣ）２６1の障害或いは故障を通知する故障検出／通知ユニット１０４1を示している。故障検出／通知ユニット１０４1は、在圏無線ネットワーク制御局（ＲＮＣ）２６1の障害或いは故障を検出するか、或いは在圏無線ネットワーク制御局（ＲＮＣ）２６1において検知された障害或いは故障の（例えば、コアネットワーク１６からの）外部指示を受信することができる。
【００３７】
在圏無線ネットワーク制御局（ＲＮＣ）２６1の実施例において、既に説明した構成要素／機能に加えて、メインプロセッサ（ＭＰ）１０８1、スイッチ１１０1、基地局２８1-1へのインタフェース（ＢＳ  Ｉ／Ｆ）１１２1-1、基地局２８1-2へのインタフェース（ＢＳ  Ｉ／Ｆ）１１２1-2、ドリフト無線ネットワーク制御局（ＤＲＮＣ）２６2へのインタフェース（Ｉｕｒ  Ｉ／Ｆ）１１４、ダイバーシティ・ハンドオーバ・ユニット１２７1、コーデック１３０1、タイミングユニット１３２1のような他の構成要素を有している。
【００３８】
図３は本発明を説明するのに有用な汎用接続解放メッセージの例について関係する特徴を簡単に図示したものである。図３の接続解放メッセージは、ヘッダ３−Ｈと、メッセージタイプ情報要素３−Ｔと、移動端末（ＭＴ）グローバルアイデンティティ情報要素３−Ｉとを有している。従来の使用では、移動端末（ＭＴ）グローバルアイデンティティ情報要素３−Ｉは、解放されることになる無線接続に関与する単一のユーザ機器ユニット（ＵＥ）の指示を含んでいる。その単一の影響を受ける移動端末のＵ−ＲＮＴＩ（ＵＴＲＡＮ無線ネットワークの一時的アイデンティティ：Radio Network Temporary Identity）が図３の解放メッセージの情報要素３−Ｉに挿入される。
【００３９】
図４は本発明の第１の態様例の総括的解放メッセージ生成器１００1が図３の汎用接続解放メッセージを本発明の総括的解放メッセージにどのように変換しているのかを示していることを描写している。この点に関して、図４は、Ｕ−ＲＮＴＩ情報要素４−Ｉが実際には２つの部分、特に、ＳＲＮＣ−ｉｄ情報要素部とＳ−ＲＮＴＩ情報要素部とを有している。ＳＲＮＣ−ｉｄ情報要素は通常、従来の接続解放メッセージにより影響を受けるユーザ機器ユニット（ＵＥ）にサービスを提供するＳＲＮＣの識別子である。Ｓ−ＲＮＴＩの情報要素はそのＳＲＮＣ内のユーザ機器ユニット（ＵＥ）を区別するためにそのＳＲＮＣにより割当てられた番号である。
【００４０】
本発明の第１の態様例の総括的解放メッセージ生成器１００1が（例えば、故障検出／通知ユニット１０４1により）総括的解放メッセージを生成するように求められたとき、総括的解放メッセージ生成器１００1は、無線ネットワーク制御ノードにより制御される全ての無線接続が解放されることを示す所定の値をＳ−ＲＮＴＩ情報要素に挿入することにより、汎用接続解放メッセージを変換する。図４に示されているように、所定の値は、予約された範囲の値にある値で良く、第１のパラメータについてその予約された範囲の値のいずれかの値を用いることで、無線ネットワーク制御（ＲＮＣ）ノードにより制御される全ての無線接続が解放されることを示す。
【００４１】
総括的解放メッセージ生成器１００1は図２のシナリオの例にある種々の方法で機能することができることを認識されたい。例えば、総括的解放メッセージ生成器１００1は、例えば、１つ以上のセルあるいはパケットで包み込まれ、スイッチ１１０1に適用される単一の総括的解放メッセージを準備することができる。その総括的解放メッセージのヘッダ４−Ｈにおける宛先アドレスパラメータなどは、スイッチ１１０1に、その総括的解放メッセージが、基地局インタフェース１１２1-1と、基地局インタフェース１１２1-2と、Ｉｕｒインタフェース１１４の各々に同報或いはマルチキャストすることになっていることを知らせる。そのような同報／マルチキャストモードにおいて、スイッチ１１０1はその総括的解放メッセージのコピーをつくり、そのコピーを夫々基地局インタフェース１１２1-1と、基地局インタフェース１１２1-2と、Ｉｕｒインタフェース１１４とにルーティングする。その総括的解放メッセージのコピーは、基地局インタフェース１１２1-1と、基地局インタフェース１１２1-2と、Ｉｕｒインタフェース１１４とにより、基地局２８1-1と基地局２８1-2とドリフト無線ネットワーク制御局（ＤＲＮＣ）２６2とに夫々適用される。
【００４２】
総括的解放メッセージのコピーの受信時には、各基地局２８1-1と２８1-2とは空中インタフェースにより、それによりサービスを受けている全てのユーザ機器ユニット（ＵＥｓ）に総括的解放メッセージのペイロードを送信する。総括的解放メッセージのコピーの受信時には、ドリフト無線ネットワーク制御局（ＤＲＮＣ）２６2に備えられたロジックが総括的解放メッセージのコピーを各基地局２８2-1と２８2-2とに適用し、次に、それらが空中インタフェースにより、在圏無線ネットワーク制御局（ＲＮＣ）２６1により制御され、しかし、ドリフト無線ネットワーク制御局（ＤＲＮＣ）２６2により制御される資源を用いる接続に関与した全てのユーザ機器ユニット（ＵＥｓ）に総括的解放メッセージのペイロードを送信する。
【００４３】
例示するユーザ機器ユニット（ＵＥ）における総括的解放メッセージの受信は、図８の破線により描かれている。図８に示されているように、ユーザ機器ユニット（ＵＥ）３０は、例えば、汎用接続解放メッセージをデコードし、接続解放メッセージが総括的解放メッセージであるかどうかを判断することの可能な接続解放メッセージ処理機能２００を含んでいる。結局、接続解放メッセージ処理機能２００は、例えば、接続解放メッセージが総括的解放メッセージであることを特定する所定の値や予約された範囲をそこに格納するメモリ２０２へアクセスする。言い換えると、メモリ２０２に格納された値は総括的解放メッセージ生成器１００により利用されるもので、図４の総括的解放メッセージのＳ−ＲＮＴＩ情報要素を準備し、そして、到来する接続解放メッセージが全てのユーザ機器ユニット（ＵＥｓ）に適用可能であるかどうかを確認するために接続解放メッセージ処理機能２００により用いられる。もちろん、メモリ２０２はまた、個々のユーザ機器ユニット（ＵＥ）に現在は一致してＵ−ＲＮＴＩを格納することができ、メモリ２０２はユーザ機器ユニット（ＵＥ）にある。接続解放メッセージ処理機能２００が受信された接続解放メッセージがこのユーザ機器ユニット（ＵＥ）にユニークに宛てられたものであるか、或いは、総括的解放メッセージが受信されたと判断するとき、ユーザ機器ユニット（ＵＥ）は、図９を参照してこれ以後説明するように、アイドルモードに入る。
【００４４】
ところで、図８は、例示された実施形において、接続解放メッセージ処理機能２００がユーザ機器ユニット（ＵＥ）３０のデータ処理及び制御ユニット３１の一部であり、総括的解放メッセージ生成器１００1が在圏無線ネットワーク制御局（ＲＮＣ）２６1のデータ処理及び制御ユニット３６にあることを示している。総括的解放メッセージ生成器１００と接続解放メッセージ処理機能２００のそのような例の場合は、限定的なものではなく、これらの機能は種々様々な方法で実施されても良いことを理解すべきであるように、個々のハードウェア回路を用いることに限定されるものではなく、適切にプログラムされたデジタルマイクロプロセッサ或いは汎用コンピュータに関連したソフトウェア機能を用いること、アプリケーション専用集積回路（ＡＳＩＣ）を用いること、１つ以上のデジタル信号プロセッサ（ＤＳＰ）を用いることの少なくともいずれかを含むものである。
【００４５】
また、図２の第１の態様の総括的解放メッセージ生成器１００1は、スイッチ１１０1によりコピーと分配のためにスイッチ１１０1に唯一の総括的解放メッセージを適用するよりはむしろ、その代わりに、在圏無線ネットワーク制御局（ＲＮＣ）２６1により制御される各基地局と在圏無線ネットワーク制御局（ＲＮＣ）２６1により利用される各ドリフトＲＮＣのために（たとえ、ヘッダ３−Ｈにおいて最終宛先アドレスが異なっていても）同じ総括的解放メッセージを生成することができることを理解すべきである。例示された実施形態では、そのようなことにより、３つの総括的解放メッセージが生成される結果となる。しかしながら、このようにして生成された総括的解放メッセージの少なくともいくつか、おそらくは全てが結局は複数のユーザ機器ユニット（ＵＥｓ）に送信されることに留意しなければならない。それ故に、総括的解放メッセージの生成を多くすることのシナリオでさえも、接続解放メッセージの数は、もし接続解放メッセージが在圏無線ネットワーク制御局（ＲＮＣ）２６1により制御される接続に関与した個々のユーザ機器ユニット（ＵＥ）各々について別々に送信されたなら、さもなければ発生したものよりもはるかに少ないものである。
【００４６】
本発明の第１の態様での図２の描写は、在圏無線ネットワーク制御局（ＳＲＮＣ）２６1からの総括的解放メッセージの送信により、在圏無線ネットワーク制御局（ＳＲＮＣ）２６1により制御される全てのユーザ機器ユニット（ＵＥｓ）との接続を解放する在圏無線ネットワーク制御局（ＳＲＮＣ）２６1を示している。第１の態様の変形例においては、また、その総括的解放メッセージはドリフト無線ネットワーク制御局（ＤＲＮＣ）２６2のようなドリフト無線ネットワーク制御局から送信されても良い。
【００４７】
上述の点について、図２Ａは第１の態様の第１の変形例を示しており、在圏無線ネットワーク制御局（ＳＲＮＣ）２６1はドリフト無線ネットワーク制御局（ＤＲＮＣ）２６2に、在圏無線ネットワーク制御局（ＳＲＮＣ）２６1によって制御される全てのユーザ機器ユニット（ＵＥｓ）との接続を解放する明白な要求をもったメッセージを送信する。在圏無線ネットワーク制御局（ＳＲＮＣ）２６1からドリフト無線ネットワーク制御局（ＤＲＮＣ）２６2に送信される要求メッセージは、図２Ａでは一点鎖線で描かれている。その要求メッセージはドリフト無線ネットワーク制御局（ＤＲＮＣ）２６2の適当なユニット（例えば、メインプロセッサ１０８2）で受信され、そのユニットはそれから、ドリフト無線ネットワーク制御局（ＤＲＮＣ）２６2の制御下で全てのセルに対して（例えば、全ての基地局ノードに対して）総括的解放メッセージの準備をして送信の原因をつくる。その総括的解放メッセージは、基地局２８2-1と基地局２８2-2との両方にスイッチ１１０2を介して同報するものとして、図２Ａにおいて破線で示されている。同報メッセージの代わりに、別個の総括的解放メッセージがメインプロセッサ１０８2から基地局２８2-1と基地局２８2-2の各々に送信されても良いことを理解されたい。
【００４８】
図２Ｂは第１の態様の第２の変形例、特に、ドリフト無線ネットワーク制御局（ＤＲＮＣ）２６2が、在圏無線ネットワーク制御局（ＳＲＮＣ）２６1への接続を喪失したという徴候を検出或いは受信するという変形例を示している。図２Ｂは“ＬＯＳＴ”という矢により、在圏無線ネットワーク制御局（ＳＲＮＣ）２６1との接続が喪失したという徴候の受信を表現している。そのような指示は、シグナリングシステム７（ＳＳ７）のようなシグナリングネットワークにおける監視機能から備えることができる。そのような場合、ドリフト無線ネットワーク制御局（ＤＲＮＣ）２６2は、ドリフト無線ネットワーク制御局（ＤＲＮＣ）２６2の制御下にある全てのセルに対して（例えば、全ての基地局ノードに対して）、総括的解放メッセージを送信する。その総括的解放メッセージは、図２Ｂでは、基地局２８2-1と基地局２８2-2との両方にスイッチ１１０2を介して同報するものとして、破線で描かれている。再び、同報メッセージの代わりに、別個の総括的解放メッセージがメインプロセッサ１０８2から基地局２８2-1と基地局２８2-2の各々に送信されても良いことを理解されたい。
【００４９】
図２Ａと図２Ｂとにより表現された変形例に関連して、ドリフト無線ネットワーク制御局（ＤＲＮＣ）２６2は通常、ドリフト無線ネットワーク制御局（ＤＲＮＣ）２６2の制御下にあるセルにおける全てのユーザ機器ユニット（ＵＥｓ）についての情報を保持する。そのような情報は、これらユーザ機器ユニット（ＵＥｓ）のＵＲＮＴＩにあっても良い。第１の態様の変形例において、ドリフト無線ネットワーク制御局（ＤＲＮＣ）２６2は、その制御下にある全てのセルに対して総括的解放メッセージの準備することができ、そして、予約された範囲において適切なＳＲＮＣのＳＲＮＣ−ｉｄとＳＲＮＴＩとを含むことができる。
【００５０】
図５は本発明の第２の態様例を示しており、ドリフト無線ネットワーク制御局（ＤＲＮＣ）２６2の形をした制御ノードは総括的解放メッセージ生成器１００2をもっている。図５において破線で示されているように、総括的解放メッセージ生成器１００2によって生成された総括的解放メッセージがＩｕｂインタフェースによりドリフト無線ネットワーク制御局（ＲＮＣ）２６2によって、ドリフト無線ネットワーク制御局（ＲＮＣ）２６2により制御される基地局２８1-1と２８1-2の各々に適用される。なぜなら、それらの基地局はドリフト無線ネットワーク制御局（ＤＲＮＣ）２６2によって制御される無線資源を利用するからである。この点に関し、図示のために、無線ネットワーク制御局（ＤＲＮＣ）２６2は、２つのユーザ機器ユニット（ＵＥｓ）３０に関与する無線接続のためのドリフト無線ネットワーク制御局としての役目を果たしている。ここで、その２つのユーザ機器ユニットの１つは基地局２８2-1によりサービスを受け、それらのユーザ機器ユニットの内のもう１つは基地局２８2-2によりサービスを受ける。図６はさらに、２つの別のユーザ機器ユニット（ＵＥｓ）もまた、（これら他のユーザ機器ユニット（ＵＥｓ）に対する無線接続のためにＳＲＮＣとして機能する）ドリフト無線ネットワーク制御局（ＤＲＮＣ）２６2により制御される各セルに常駐していることを図示している。再び、１個のセル当たりのユーザ機器ユニット（ＵＥｓ）の数と、基地局に位置するセルの数と、ＲＮＣにより制御される基地局の数との図示した例は、変更可能であり、本発明を限定するものではない。
【００５１】
図６は、いくらかより詳細に、図５の第２の態様の代表的な実施形の一部を示している。第１の態様例でもそうであったように、総括的解放メッセージ生成器１００2は、接続解放機能１０２1を有し、しかし、その接続解放機能１０２1はドリフト無線ネットワーク制御局（ＤＲＮＣ）２６2に位置するものとして示されている。前述のように、接続解放機能１０２2は、汎用フォーマットを用いて正規の接続解放メッセージを準備する役目を果たしている。第１の態様におけるように、接続解放機能１００2は、図示されているように、接続解放機能１０２2の特別なルーチンであるか或いはサブセットでよく、或いはもし望まれるなら、別個の機能或いはユニットで良い。求められるとき、総括的解放メッセージ生成器１００2は、ドリフト無線ネットワーク制御局（ＤＲＮＣ）２６2によって制御されるセルに位置する複数のユーザ機器ユニット（ＵＥｓ）に関与する複数の接続の接続解放を行なう図７の総括的解放メッセージへと（図３に示されているような）汎用接続解放メッセージを変換する役割を果たす。
【００５２】
図示された実施形態では、総括的解放メッセージ生成器１００2はドリフト無線ネットワーク制御局（ＤＲＮＣ）２６2で障害或いは故障があるときに求められる。図６は、特に、接続解放機能１０２2と総括的解放メッセージ生成器１００2に、ドリフト無線ネットワーク制御局（ＤＲＮＣ）２６2によって制御されるセルにある全てのユーザ機器ユニット（ＵＥｓ）に対する全ての無線接続の解放を要求するドリフト無線ネットワーク制御局（ＤＲＮＣ）２６2の障害或いは故障を通知する故障検出／通知ユニット１０４2を示している。故障検出／通知ユニット１０４2それ自身は、ドリフト無線ネットワーク制御局（ＲＮＣ）２６2の障害或いは故障を検出するか、或いはドリフト無線ネットワーク制御局（ＤＲＮＣ）２６2において検知された障害或いは故障の（例えば、コアネットワーク１６からの）外部指示を受信することができる。
【００５３】
図７は本発明の第２の態様例の総括的解放メッセージ生成器１００2が図３の汎用接続解放メッセージを本発明の総括的解放メッセージにどのように変換しているのかを示している。この点に関して、（図４のような）図７は、上述のように、Ｕ−ＲＮＴＩ情報要素７−Ｉが実際には２つの部分、特に、ＳＲＮＣ−ｉｄ情報要素部とＳ−ＲＮＴＩ情報要素部とを有していることを描写している。
【００５４】
本発明の第２の態様例の総括的解放メッセージ生成器１００2が（例えば、故障検出／通知ユニット１０４2により）総括的解放メッセージを生成するように求められたとき、総括的解放メッセージ生成器１００2は、第１の態様と同様な方法で、（第１の）所定の値をＳ−ＲＮＴＩ情報要素に挿入することにより汎用接続解放メッセージを変換し、そして、付加的には第２の所定の値をＳＲＮＣ−ｉｄ情報要素に挿入する。ドリフト無線ネットワーク制御局（ＤＲＮＣ）２６2の総括的解放メッセージ生成器１００2により準備されるように、図７の総括的解放メッセージにより、ドリフト無線ネットワーク制御ノードにより制御されるセルにおける全ての無線接続が解放されるようにする。
【００５５】
第１の態様におけるように、そして、図６に示されているように、第２の態様では、第１の選択パラメータは、第１の予約された範囲の値に属し、第２の選択パラメータは、第２の予約された範囲の値に属することができる。従って、第２の態様の実施例では、第１の選択パラメータと第２の選択パラメータとの両方が、その総括的解放メッセージの無線ネットワークの移動端末グローバルアイデンティティ情報要素、例えば、その総括的解放メッセージの無線ネットワークの一時的なアイデンティティ（Ｕ−ＲＮＴＩ）の情報要素に含まれる。例えば、第１の選択パラメータは在圏無線ネットワークの一時的アイデンティティ（Ｓ−ＲＮＴＩ）の情報要素にある一方、第２の選択パラメータは在圏無線ネットワーク制御（ＳＲＮＣ）ノードを識別する情報要素に含まれて良い。
【００５６】
第１の態様例におけるように、第２の態様例でも、総括的解放メッセージ生成器１００2は、スイッチ１１０2を介して、基地局２８1-1と基地局２８1-2の夫々に同報／マルチキャストする単一の総括的解放メッセージを生成できる。或いは、総括的解放メッセージ生成器１００2は、例えば、その制御下にある各基地局に対して別個の総括的解放メッセージを生成することもできる。
【００５７】
総括的解放メッセージのコピーの受信時には、各基地局２８1-1と２８1-2とは空中インタフェースにより、ドリフト無線ネットワーク制御局（ＤＲＮＣ）２６2により制御されるセルによりサービスを受けている全てのユーザ機器ユニット（ＵＥｓ）に総括的解放メッセージのペイロードを送信する。（図８において破線で描かれている）例示するユーザ機器ユニット（ＵＥ）における総括的解放メッセージの受信と処理は、前述したのと同じ方法においてなされる。その結果、ユーザ機器ユニット（ＵＥ）は、図９を参照してこれ以後に説明するように、アイドルモードに入る。
【００５８】
第１の態様についての図２と図２Ａと図２Ｂとにおいて、そして、第２の態様についての図６において図示したより詳細な構造は限定的なものではなく、その代わりに他の構造や構成が利用可能であることを理解すべきである。この点に関して、これまでに説明した特定の無線ネットワーク制御（ＲＮＣ）ノードは交換を基本とするノードとして図示されたが、そのようなものは本発明には要求されておらず、そして、総括的解放メッセージを適用する他の方法も本発明の範囲の中にある。
【００５９】
さらに、本発明の第１の態様と第２の態様とが組み合わせて用いることもできることがさらに認識されるであろう。例えば、ＲＮＣの故障や再起動の少なくともいずれかにおいて、ＳＲＮＣ或いはＤＲＮＣとして与えられたＲＮＣをもつ全てのユーザ機器ユニット（ＵＥｓ）を解放することが望まれていることを仮定しよう。そのようなシナリオにおいて、第１の態様は、ＳＲＮＣとしてそのＲＮＣをもつ全てのユーザ機器ユニット（ＵＥｓ）を解放するために採用される一方で、第２の態様はＤＲＮＣとしてそのＲＮＣをもつ全てのユーザ機器ユニット（ＵＥｓ）を解放するために利用される。
【００６０】
従って、本発明は、例えば、同じ接続解放メッセージ、例えば、本発明の総括的解放メッセージにおいて多くのユーザ機器ユニット（ＵＥｓ）の扱いを簡単にすることにより、従来技術の問題を解決するものである。本発明の第１の態様では、Ｕ−ＲＮＴＩの所定の値或いは予約された値の範囲が同報アドレス或いはグループアドレスとして用いられ、これにより、いくつかのユーザ機器ユニット（ＵＥｓ）の扱いを可能にしている。本発明の第１の態様では、在圏無線ネットワーク制御局（ＲＮＣ）２６1に対する適当なＳＲＮＣ−ｉｄをもつＵ−ＲＮＴＩと所定の値（或いは予約された範囲）にあるＳ−ＲＮＴＩ情報要素の値とが、特定の在圏無線ネットワーク制御局（ＲＮＣ）２６1に属する全てのユーザ機器ユニット（ＵＥｓ）を扱っている。
【００６１】
本発明の第２の態様では、ドリフト無線ネットワーク制御局（ＤＲＮＣ）２６2により生成された接続解放メッセージが、そのＳＲＮＣ−ｉｄ情報要素に、第２の所定の値（或いは第２の予約された範囲にある値）をもち、そして、そのＳ−ＲＮＴＩ情報要素に第１の所定の値或いは第１の予約された範囲にある値をもつとき、それは総括的解放メッセージとして認識され、ドリフト無線ネットワーク制御局（ＤＲＮＣ）２６2により制御されるセルにある全てのユーザ機器ユニット（ＵＥｓ）を解放するであろう。
【００６２】
図９は本発明についてのユーザ機器ユニット（ＵＥ）に関連する状態モデルを示している。そのユーザ機器ユニット（ＵＥ）の電源投入後にアイドルモードに入る。そのアイドルモードでは、ユーザ機器ユニット（ＵＥ）とＵＴＲＡＮとの間の接続はない。接続が確立されると、ユーザ機器ユニット（ＵＥ）にはＵ−ＲＮＴＩが割当てられ、そのユーザ機器ユニット（ＵＥ）は接続モードに入る。
【００６３】
接続モードの中では、４つの異なる状態がある。以下に別々に議論するように、各状態は異なるレベルのアクティビティを反映する。
【００６４】
ＣＥＬＬ＿ＤＣＨ状態は、そのユーザ機器ユニット（ＵＥ）に割当てられた専用チャネル（ＤＣＨ）があることにより特徴付けられる。マクロダイバーシティはいくつかのセルのＤＣＨ間で用いられても良い。ＣＥＬＬ＿ＤＣＨ状態には、ユーザ機器ユニット（ＵＥ）とＵＴＲＡＮとの間のシグナリングメッセージの送信のために用いられる専用制御チャネル（ＤＣＣＨ）がある。
【００６５】
ＣＥＬＬ＿ＦＡＣＨ状態では、専用物理チャネルは割当てられないが、ユーザ機器ユニット（ＵＥ）は選択されたセルに属するダウンリンクにおいて共通チャネル（ＦＡＣＨ）を連続的に聴取している。アップリンクにおいては、ユーザ機器ユニット（ＵＥ）は通常、ランダムアクセスチャネル（ＲＡＣＨ）を用いている。セル再選択毎に、ユーザ機器ユニット（ＵＥ）はその現在のセル位置にあるネットワークを更新する。この状態では、ユーザ機器ユニット（ＵＥ）とＵＴＲＡＮとの間でシグナリングメッセージの送信をするために用いられる専用制御チャネル（ＤＣＣＨ）がある。ＤＣＣＨは無線ネットワークの一時的アイデンティティ（Ｕ−ＲＮＴＩ或いはＣ−ＲＮＴＩ）に全てのシグナリングメッセージを付加することにより実施され、従って、個々のＵＥを扱う。前述のように、Ｕ−ＲＮＴＩ（ＵＴＲＡＮ  ＲＮＴＩ）はグローバルなアイデンティティであり、それはＵＴＲＡＮにおけるどのセルにおいても使用できる。Ｃ−ＲＮＴＩ（Ｃｅｌｌ  ＲＮＴＩ）は単一のセルにおいて重要なだけであり、セル毎に再割当てをしなければならない。これに対して、Ｃ−ＲＮＴＩ（Ｃｅｌｌ  ＲＮＴＩ）はそれが用いられるとき、無線インタフェースにより空間を節約するＵ−ＲＮＴＩよりもずっと短い。また、この状態ではＣＣＣＨ（共通制御チャネル）があり、それはＲＮＣ境界を超えたセル再選択の後のようなＳＲＮＣへの接続が利用可能ではないときに、ＣＥＬＬ  ＵＰＤＡＴＥ或いはＵＲＡ  ＵＰＤＡＴＥメッセージがＤＲＮＣに送信されるときに用いられる。
【００６６】
ＣＥＬＬ＿ＰＣＨ状態では、ユーザ機器ユニット（ＵＥ）は選択セルの呼出チャネル（ＰＣＨ）を監視する。ＰＣＨにおいて、ユーザ機器ユニット（ＵＥ）は不連続的な受信（ＤＲＸ）を用いて電力を節約し、そして、いつ聴取するのかという方式は、ユーザ機器ユニット（ＵＥ）毎を基本にして、ネットワークとユーザ機器ユニットとの間で同意がとられる。また、ＣＥＬＬ＿ＰＣＨ状態では、ユーザ機器ユニット（ＵＥ）はセル再選択において、その現在のセル位置でネットワークを更新する。ＣＥＬＬ＿ＰＣＨ状態では、ＤＣＣＨは利用可能ではない。ＰＣＨにおいて、個々のユーザ機器ユニット（ＵＥｓ）を扱う手段が（Ｕ−ＲＮＴＩを用いて）存在するが、ユーザ機器ユニット（ＵＥ）はネットワークに対するどんなシグナリングメッセージも転送することはできない。
【００６７】
ＵＲＡ＿ＰＣＨ状態は、ＣＥＬＬ＿ＰＣＨ状態とほとんど同一である。その違いはＵＲＡ境界を越えた後、ユーザ機器ユニット（ＵＥ）はその位置のネットワークを更新するだけである。ＵＲＡ（ＵＴＲＡＮ登録領域）は一群のセルである。これは、この状態では、ユーザ機器ユニット（ＵＥ）の位置は概してただＵＲＡレベルにおいてのみ知られていることを意味する。
【００６８】
（ＵＴＲＡＮのような）無線アクセスネットワークと（ＵＥのような）移動端末との間の無線接続の解放は、その移動端末が接続モードを離れ、アイドルモードに入ることを要求する（図９を参照）。
【００６９】
ＲＥＬＥＡＳＥメッセージはＣＣＣＨで、ＣＥＬＬ＿ＦＡＣＨ状態で送信される。しかしながら、ＣＥＬＬ＿ＰＣＨとＵＲＡ＿ＰＣＨ状態では、ＣＣＣＨはない。２０００年１１月２８日出願の“セルラ通信システムにおける呼出手順を用いたユーザ機器ユニットの解放（RELEASE OF USER EQUIPMENT UNIT USING A PAGE PROCEDURE IN A CELLULAR COMMUNICATION SYSTEM）”という名称の米国特許出願シリアル番号第０９／７２４，７５４号（ここで、その全体が参照により組み込まれる）には、ＰＣＨがＲＥＬＥＡＳＥメッセージを送信するのに用いられることを記載している。もし、ＰＣＨがそのように用いられるなら、本発明の同報或いはグループＵ−ＲＮＴＩの概念を用いると、ＣＥＬＬ＿ＰＣＨとＵＲＡ＿ＰＣＨ状態にあるいくつかのユーザ機器ユニット（ＵＥｓ）はＰＣＨで単一のメッセージによりうまく解放される。
【００７０】
従って、前述の記載から、本発明の１つの側面は総括的解放メッセージを用いて複数の無線接続が解放される無線アクセスネットワークを動作させる方法に関するものであることが分かる。本発明の別の側面は無線アクセスネットワークとその制御ノードに関するもので、そのノードは総括的解放メッセージを用いて複数の無線接続を解放する。本発明のさらに別の側面は、無線アクセスネットワークから送信された総括的解放メッセージを認識する移動端末に関するものであり、その端末はそのメッセージに応答してその無線接続を解放する。
【００７１】
都合の良いことに、本発明は、１つのメッセージが複数のユーザ機器ユニット（ＵＥｓ）に対して導かれるか、或いは送信されるので、ＲＮＣの故障時に要求されるシグナリング量をかなり削減する。多くのユーザ機器ユニット（ＵＥ）が同時に解放される必要がある場合には、各接続の解放についての時間的な遅延も小さくなる。これにより、ユーザにより良いサービスを提供し、再起動後に既に用いられているＲＮＴＩを割当てる危険を小さくすることができる。重要なこととして、ネットワークにおけるシグナリング負荷、ＲＮＣ負荷、そのシグナリングに必要な無線資源全てが削減される。
【００７２】
現在最も実際的で好適な実施例であると考えられるものに関連して本発明を説明したが、本発明はその開示された実施例によって限定されるものではなく、それとは反対に、添付した請求の範囲の精神と範囲の中に含められる数多くの変形例や同等物の構成をも含むことが意図されていることを理解すべきである。
【図面の簡単な説明】
【００７３】
【図１】本発明の第１実施態様の例に従った、複数の無線接続を解放するための総括的解放メッセージの使用を示している移動通信システムの例を示す図である。
【図２】図１の第１の態様の移動通信システムの例の代表的な実施形の一部をより詳細に示す図である。
【図２Ａ】図２の第１の態様の変形例を示す図である。
【図２Ｂ】図２の第１の態様の変形例を示す図である。
【図３】包括的な解放メッセージを示す図である。
【図４】図１の第１の態様に関し、どのように汎用接続解放メッセージが総括的解放能力を取得することができるのかを示す図である。
【図５】本発明の第２実施態様の例に従った、複数の無線接続を解放するための総括的解放メッセージの使用を示している移動通信システムの例を示す図である。
【図６】図５の第２の態様の移動通信システムの例の代表的な実施形の一部をより詳細に示す図である。
【図７】図５の第２の態様に関し、どのように汎用接続解放メッセージが総括的解放能力を取得することができるのかを示す図である。
【図８】基地局ノードと無線ネットワーク制御局ノードとのある基本的な側面とともに、接続解放メッセージを処理するユーザ機器ユニット（ＵＥ）の種々の側面を示す図である。
【図９】本発明に関連したユーザ機器ユニット（ＵＥ）のモードと状態とを示す図である。
【図１】
2004526393.tif 000003
【図２】
2004526393.tif 000004
【図２Ａ】
2004526393.tif 000005
【図２Ｂ】
2004526393.tif 000006
【図３】
2004526393.tif 000007
【図４】
2004526393.tif 000008
【図５】
2004526393.tif 000009
【図６】
2004526393.tif 000010
【図７】
2004526393.tif 000011
【図８】
2004526393.tif 000012
【図９】
2004526393.tif 000013
【国際公開パンフレット】
2004526393.tif 000014
2004526393.tif 000015
2004526393.tif 000016
2004526393.tif 000017
2004526393.tif 000018
2004526393.tif 000019
2004526393.tif 000020
2004526393.tif 000021
2004526393.tif 000022
2004526393.tif 000023
2004526393.tif 000024
2004526393.tif 000025
2004526393.tif 000026
2004526393.tif 000027
2004526393.tif 000028
2004526393.tif 000029
2004526393.tif 000030
2004526393.tif 000031
2004526393.tif 000032
2004526393.tif 000033
2004526393.tif 000034
2004526393.tif 000035
2004526393.tif 000036
2004526393.tif 000037
2004526393.tif 000038
2004526393.tif 000039
2004526393.tif 000040
2004526393.tif 000041
2004526393.tif 000042
2004526393.tif 000043
2004526393.tif 000044
2004526393.tif 000045
2004526393.tif 000046
2004526393.tif 000047
2004526393.tif 000048
2004526393.tif 000049
2004526393.tif 000050
2004526393.tif 000051
2004526393.tif 000052
2004526393.tif 000053
2004526393.tif 000054
2004526393.tif 000055
2004526393.tif 000056
【国際公開パンフレット（コレクトバージョン）】
2004526393.tif 000057
2004526393.tif 000058
【手続補正書】
【提出日】平成15年5月16日(2003.5.16)
【手続補正１】
【補正対象書類名】特許請求の範囲
【補正対象項目名】全文
【補正方法】変更
【補正の内容】
【特許請求の範囲】
【請求項１】
在圏無線ネットワーク制御（ＳＲＮＣ）ノードを有する通信システムの無線アクセスネットワークを動作させる方法であって、
前記在圏無線ネットワーク制御（ＳＲＮＣ）ノードの故障時には、複数の接続を解放するために、総括的解放メッセージを準備することにより、その第１の選択パラメータが所定の値をもつとき、前記在圏無線ネットワーク制御（ＳＲＮＣ）ノードにより制御される全ての無線接続が解放されることを特徴とする方法。
【請求項２】
前記所定の値が予約された範囲の値にあることを特徴とする請求項１に記載の方法。
【請求項３】
前記第１の選択パラメータは、前記総括的解放メッセージの移動端末グローバルアイデンティティ情報要素に含まれることを特徴とする請求項１に記載の方法。
【請求項４】
前記第１の選択パラメータは、前記総括的解放メッセージの無線ネットワークの一時的アイデンティティ（Ｕ−ＲＮＴＩ）情報要素に含まれることを特徴とする請求項３に記載の方法。
【請求項５】
前記第１の選択パラメータは、前記総括的解放メッセージの在圏無線ネットワークの一時的アイデンティティ（Ｓ−ＲＮＴＩ）情報要素であることを特徴とする請求項４に記載の方法。
【請求項６】
さらに、移動端末がＣＥＬＬ＿ＦＡＣＨ状態にあるとき、共通制御チャネル（ＣＣＣＨ）で前記総括的解放メッセージを送信することを特徴とする請求項１に記載の方法。
【請求項７】
さらに、呼出チャネル（ＰＣＨ）で前記総括的解放メッセージを送信することを特徴とする請求項１に記載の方法。
【請求項８】
ドリフト無線ネットワーク制御（ＤＲＮＣ）ノードを有する通信システムの無線アクセスネットワークを動作させる方法であって、
前記ドリフト無線ネットワーク制御（ＤＲＮＣ）ノードの故障時には、複数の接続を解放するために、総括的解放メッセージを準備することにより、その第１の選択パラメータが所定の値をもち、そして、その第２の選択パラメータが第２の所定の値をもつとき、前記ドリフト無線ネットワーク制御（ＤＲＮＣ）ノードにより制御されるセルにおける全ての無線接続が解放されることを特徴とする方法。
【請求項９】
前記第１の選択パラメータが予約された第１の範囲の値にあることを特徴とする請求項８に記載の方法。
【請求項１０】
前記第２の選択パラメータが予約された第２の範囲の値にあることを特徴とする請求項８に記載の方法。
【請求項１１】
前記第１の選択パラメータは、前記総括的解放メッセージの移動端末グローバルアイデンティティ情報要素に含まれることを特徴とする請求項８に記載の方法。
【請求項１２】
前記第１の選択パラメータは、前記総括的解放メッセージの無線ネットワークの一時的アイデンティティ（Ｕ−ＲＮＴＩ）情報要素に含まれることを特徴とする請求項１１に記載の方法。
【請求項１３】
前記第１の選択パラメータは、前記総括的解放メッセージの在圏無線ネットワークの一時的アイデンティティ（Ｓ−ＲＮＴＩ）情報要素にあることを特徴とする請求項１２に記載の方法。
【請求項１４】
前記第２の選択パラメータは、在圏無線ネットワーク制御（ＳＲＮＣ）ノードを識別するパラメータに含まれていることを特徴とする請求項８に記載の方法。
【請求項１５】
さらに、移動端末がＣＥＬＬ＿ＦＡＣＨ状態にあるとき、共通制御チャネル（ＣＣＣＨ）で前記総括的解放メッセージを送信することを特徴とする請求項８に記載の方法。
【請求項１６】
さらに、呼出チャネル（ＰＣＨ）で前記総括的解放メッセージを送信することを特徴とする請求項８に記載の方法。
【請求項１７】
通信システムの無線アクセスネットワークを動作させるドリフト無線ネットワーク制御局（ＤＲＮＣ）ノードにおける方法であって、
在圏無線ネットワーク制御局ノードから、前記ドリフト無線ネットワーク制御局ノードによって制御されるセルにおいて、前記在圏無線ネットワーク制御局ノードによって制御される移動端末との接続解放の要求を受信し、
前記ドリフト無線ネットワーク制御局ノードによって制御される基地局に、前記無線アクセスネットワークによって扱われる複数の制御を解放するために総括的解放メッセージを送信することを特徴とする方法。
【請求項１８】
通信システムの無線アクセスネットワークを動作させるドリフト無線ネットワーク制御局（ＤＲＮＣ）ノードにおける方法であって、
在圏無線ネットワーク制御局ノードとの接続の喪失の徴候を受信し、
前記ドリフト無線ネットワーク制御局ノードによって制御されるセルにおいて、前記在圏無線ネットワーク制御局ノードによって制御される移動端末との接続に関し、前記ドリフト無線ネットワーク制御局ノードによって制御される基地局に、前記無線アクセスネットワークによって扱われる複数の接続を解放するために総括的解放メッセージを送信することを特徴とする方法。
【請求項１９】
通信システムの無線アクセスネットワークに接続時に在圏無線ネットワーク制御（ＳＲＮＣ）ノードとして作用することが可能な無線ネットワーク制御ノードであって、
前記無線ネットワーク制御ノードの故障時には、前記無線アクセスネットワークによって扱われる複数の接続を解放するために総括的解放メッセージを準備する手段を有し、
前記総括的解放メッセージの第１の選択パラメータが予約された範囲の値にあるとき、前記無線ネットワーク制御ノードにより制御される全ての無線接続が解放されることを特徴とする無線ネットワーク制御ノード。
【請求項２０】
前記総括的解放メッセージの前記第１の選択パラメータは所定の値をもつことを特徴とする請求項１９に記載の無線ネットワーク制御ノード。
【請求項２１】
前記第１の選択パラメータは、前記総括的解放メッセージの移動端末グローバルアイデンティティ情報要素に含まれることを特徴とする請求項１９に記載の無線ネットワーク制御ノード。
【請求項２２】
前記第１の選択パラメータは、前記総括的解放メッセージの無線ネットワークの一時的アイデンティティ（Ｕ−ＲＮＴＩ）情報要素に含まれることを特徴とする請求項２１に記載の無線ネットワーク制御ノード。
【請求項２３】
前記第１の選択パラメータは、前記総括的解放メッセージの在圏無線ネットワークの一時的アイデンティティ（Ｓ−ＲＮＴＩ）情報要素にあることを特徴とする請求項２２に記載の無線ネットワーク制御ノード。
【請求項２４】
通信システムの無線アクセスネットワークに接続時にドリフト無線ネットワーク制御（ＤＲＮＣ）ノードとして作用することが可能な無線ネットワーク制御ノードであって、
前記無線ネットワーク制御ノードの故障時には、前記無線アクセスネットワークによって扱われる複数の接続を解放するために総括的解放メッセージを準備する手段を有し、
前記総括的解放メッセージの第１の選択パラメータが第１の所定の値をもち、そして、前記総括的解放メッセージの第２の選択パラメータが第２の所定の値をもつとき、前記無線ネットワーク制御ノードにより制御される全ての無線接続が解放されることを特徴とする無線ネットワーク制御ノード。
【請求項２５】
前記第１の選択パラメータが予約された第１の範囲の値にあることを特徴とする請求項２４に記載の無線ネットワーク制御ノード。
【請求項２６】
前記第２の選択パラメータが予約された第２の範囲の値にあることを特徴とする請求項２４に記載の無線ネットワーク制御ノード。
【請求項２７】
前記第１の選択パラメータは、前記総括的解放メッセージの移動端末グローバルアイデンティティ情報要素に含まれることを特徴とする請求項２４に記載の無線ネットワーク制御ノード。
【請求項２８】
前記第１の選択パラメータは、前記総括的解放メッセージの無線ネットワークの一時的アイデンティティ（Ｕ−ＲＮＴＩ）情報要素に含まれることを特徴とする請求項２７に記載の無線ネットワーク制御ノード。
【請求項２９】
前記第１の選択パラメータは、前記総括的解放メッセージの在圏無線ネットワークの一時的アイデンティティ（Ｓ−ＲＮＴＩ）情報要素にあることを特徴とする請求項２８に記載の無線ネットワーク制御ノード。
【請求項３０】
前記第２の選択パラメータは、在圏無線ネットワーク制御（ＳＲＮＣ）ノードを識別するパラメータに含まれていることを特徴とする請求項２４に記載の無線ネットワーク制御ノード。
【請求項３１】
移動端末がＣＥＬＬ＿ＦＡＣＨ状態にあるとき、共通制御チャネル（ＣＣＣＨ）で前記総括的解放メッセージは送信されることを特徴とする請求項２４に記載の無線ネットワーク制御ノード。
【請求項３２】
呼出チャネル（ＰＣＨ）で前記総括的解放メッセージは送信されることを特徴とする請求項２４に記載の無線ネットワーク制御ノード。
【請求項３３】
通信システムの無線アクセスネットワークに接続時にドリフト無線ネットワーク制御局（ＤＲＮＣ）ノードとして作用することが可能な無線ネットワーク制御ノードであって、
前記ドリフト無線ネットワーク制御局ノードによって制御されるセルにおいて、在圏無線ネットワーク制御局ノードによって制御される複数の移動端末との複数の接続解放の要求を受信する手段と、
前記ドリフト無線ネットワーク制御局ノードによって制御される基地局に、前記無線アクセスネットワークによって扱われる複数の接続を解放するために総括的解放メッセージを送信する手段とを有することを特徴とする無線ネットワーク制御ノード。
【請求項３４】
通信システムの無線アクセスネットワークに接続時にドリフト無線ネットワーク制御局（ＤＲＮＣ）ノードとして作用することが可能な無線ネットワーク制御ノードであって、
在圏無線ネットワーク制御局ノードとの接続の喪失の徴候を受信する手段と、
前記ドリフト無線ネットワーク制御局ノードによって制御されるセルにおいて、前記在圏無線ネットワーク制御局ノードによって制御される移動端末との接続に関し、前記ドリフト無線ネットワーク制御局ノードによって制御される基地局に、前記無線アクセスネットワークによって扱われる複数の接続を解放するために総括的解放メッセージを送信する手段とを有することを特徴とする無線ネットワーク制御ノード。
【請求項３５】
請求項１９乃至２３のいずれかに記載の無線ネットワーク制御ノード、或いは請求項２４乃至３４のいずれかに記載の無線ネットワーク制御ノードの内の少なくとも１つを有することを特徴とする通信システムの無線アクセスネットワーク。
【請求項３６】
通信システムにおける移動端末であって、
在圏無線ネットワーク制御（ＳＲＮＣ）ノードの故障時に総括的解放メッセージを受信したときで、前記総括的解放メッセージの第１の選択パラメータが前記移動端末にユニークではない所定の値をもつときには、無線アクセスネットワークとの無線接続を解放する手段を有することを特徴とする移動端末。
【請求項３７】
通信システムにおける移動端末であって、
ドリフト無線ネットワーク制御（ＳＲＮＣ）ノードの故障時に総括的解放メッセージを受信したときで、前記総括的解放メッセージの第１の選択パラメータが第１の所定の値をもち、そして、前記総括的解放メッセージの第２の選択パラメータが第２の所定の値をもち、それらの値が前記移動端末にユニークではない値であるとき、無線アクセスネットワークとの無線接続を解放する手段を有することを特徴とする移動端末。
【請求項３８】
前記第１の選択パラメータが予約された範囲の値にあるとき、前記移動端末は前記無線アクセスネットワークとの無線接続を解放することを特徴とする請求項３６又は３７に記載の移動端末。
【請求項３９】
前記第２の選択パラメータが予約された範囲の値にあるとき、前記移動端末は前記無線アクセスネットワークとの無線接続を解放することを特徴とする請求項３７に記載の移動端末。
【請求項４０】
前記第２の選択パラメータは、在圏無線ネットワーク制御（ＳＲＮＣ）ノードを識別するパラメータに含まれていることを特徴とする請求項３７に記載の移動端末。
【請求項４１】
前記第１の選択パラメータは、前記総括的解放メッセージの移動端末グローバルアイデンティティ情報要素に含まれることを特徴とする請求項３６又は３７に記載の移動端末。
【請求項４２】
前記第１の選択パラメータは、前記解放メッセージの無線ネットワークの一時的アイデンティティ（Ｕ−ＲＮＴＩ）情報要素に含まれることを特徴とする請求項４１に記載の移動端末。
【請求項４３】
前記第１の選択パラメータは、前記解放メッセージの在圏無線ネットワークの一時的アイデンティティ（Ｓ−ＲＮＴＩ）情報要素にあることを特徴とする請求項４２に記載の移動端末。
【請求項４４】
前記移動端末がＣＥＬＬ＿ＦＡＣＨ状態にあるとき共通制御チャネル（ＣＣＣＨ）で前記解放メッセージは受信されることを特徴とする請求項３６又は３７に記載の移動端末。
【請求項４５】
呼出チャネル（ＰＣＨ）で前記解放メッセージは受信されることを特徴とする請求項３６又は３７に記載の移動端末。
【国際調査報告】
2004526393.tif 000059
2004526393.tif 000060
2004526393.tif 000061